(57)【要約】【課題】交換レンズが外された場合であっても、容易にシャッタ幕が破損されないようにしたデジタルカメラおよびデジタルカメラの制御方法を提供する。【解決手段】交換レンズ１００を着脱自在なデジタルカメラにおいて、交換レンズ１００を介して入射した被写体光束を撮像する撮像素子２２１と、交換レンズ１００と撮像素子２２１の間に配置された開閉可能なシャッタ２１３を具備しており、パワースイッチ２８４の操作に応じて（＃２５）、デジタルカメラを動作状態から低消費電力状態に移行させる（＃２９）と共に、シャッタ２１３を閉状態にし（＃２７）、また低消費電力状態において交換レンズ１００の取り外し操作が行われた場合にはデジタルカメラを動作状態に移行させると共に（＃３１）、シャッタ２１３を開状態にする（＃３３）。【選択図】  図４
2010101931.tif 000002
【特許請求の範囲】
【請求項１】
撮影レンズを着脱自在なデジタルカメラにおいて、
上記撮影レンズを介して入射した被写体光束を撮像する撮像部と、
上記撮影レンズと上記撮像部の間に配置された開閉可能なシャッタ機構と、
上記撮影レンズが取り外された状態においては、上記シャッタ機構を開状態に維持する制御部と、
を具備したことを特徴とするデジタルカメラ。
【請求項２】
上記制御部は、上記シャッタ機構が閉状態にある場合には、上記撮影レンズの取り外し操作に連動して上記シャッタ機構を開状態に設定することを特徴とする請求項１に記載のデジタルカメラ。
【請求項３】
上記制御部は、上記デジタルカメラが低消費電力状態に移行する際に、上記シャッタ機構を閉状態に設定することを特徴とする請求項２に記載のデジタルカメラ。
【請求項４】
上記制御部は、上記デジタルカメラが低消費電力状態の場合には、上記撮影レンズが取り外されたことを割り込み処理により検知することを特徴とする請求項１に記載のデジタルカメラ。
【請求項５】
さらに、上記撮像部から出力される画像データに基づいて被写体像をライブビュー表示する表示部を有し、
上記制御部は、上記ライブビュー表示中に撮影レンズが取り外された場合には、上記ライブビュー表示を停止すると共に、上記シャッタ機構を開状態に維持する、
ことを特徴とする請求項１に記載のデジタルカメラ。
【請求項６】
上記制御部は、上記デジタルカメラが低消費電力状態に移行する際には、上記シャッタ機構を開状態に維持したままで移行することを特徴とする請求項５に記載のデジタルカメラ。
【請求項７】
上記制御部は、上記撮影レンズが取り外された後に装着され、かつ低消費電力状態に移行する場合には、上記シャッタ機構を閉状態に設定することを特徴とする請求項５に記載のデジタルカメラ。
【請求項８】
撮影レンズを着脱自在なデジタルカメラにおいて、
上記撮影レンズを介して入射した被写体光束を撮像する撮像部と、
上記撮影レンズと上記撮像素子の間に配置された開閉可能なシャッタ機構と、
電源スイッチの操作に応じて上記デジタルカメラを動作状態から低消費電力状態に移行させると共に、上記シャッタ機構を閉状態にする制御部と、
を具備しており、
上記制御部は、上記低消費電力状態において上記撮影レンズの取り外し操作が行われた場合には上記デジタルカメラを上記動作状態に移行させると共に、上記シャッタ機構を開状態にすることを特徴とするデジタルカメラ。
【請求項９】
着脱自在な撮影レンズと、この撮影レンズと撮像素子の間に配置された開閉可能なシャッタ機構を有するデジタルカメラの制御方法において、
上記撮影レンズが取り外されたか否かを検出し、
上記検出の結果、上記撮影レンズが取り外されたことを検出した場合には、上記シャッタ機構を開状態に維持する、
ことを特徴とするデジタルカメラの制御方法。
【請求項１０】
上記撮影レンズが取り外されたことを検出した際に、上記シャッタ機構が閉状態であった場合には、上記シャッタ機構を開状態に設定することを特徴とする請求項９に記載のデジタルカメラの制御方法。
【請求項１１】
上記撮影レンズが取り外されたことを検出した際に、上記撮像素子から出力される画像データに基づいてライブビュー表示を停止すると共に、上記シャッタ機構の開状態を維持することを特徴とする請求項９に記載のデジタルカメラの制御方法。
【発明の詳細な説明】
【技術分野】
【０００１】
本発明は、撮像装置および撮像装置の制御方法に関し、詳しくは、撮影光学系を交換のために外すことが可能なデジタルカメラおよびデジタルカメラの制御方法に関する。
【背景技術】
【０００２】
近年、撮像素子を備え、この撮像素子からの画像データを被写体像観察用に表示するライブビュー表示機能を備えたデジタルカメラが普及してきている。例えば、特許文献１には、レンズ交換式のデジタル一眼レフレックスカメラにおいて、ライブビュー表示モードが選択されると、可動ミラーが上昇し、フォーカルプレーンシャッタが開放状態となり、撮像素子上に形成された被写体像を画像データに変換し、この画像データに基づいてカメラ本体の背面に配置された液晶モニタに被写体像を表示することが開示されている。
【特許文献１】特開２００７−１９４７６９号公報
【０００３】
特許文献１に開示のデジタルカメラでは、ライブビュー表示中に交換レンズが外されると、撮像素子が直接外界に露出され、塵埃が撮像素子に付着してしまうことを防止するために、シャッタを閉じ、可動ミラーを復帰させている。
【発明の開示】
【発明が解決しようとする課題】
【０００４】
レンズ交換式のデジタルカメラにおいては、交換レンズを外した際に、シャッタに指が触れ破損させてしまうおそれがある。特に、可動ミラーを有さず、一眼レフレックスカメラよりもフランジバックが短いデジタルカメラの場合には、カメラマウントから指等が侵入すると、開口近くにシャッタが配置されていることから、シャッタ幕が破損されるおそれがある。
【０００５】
本発明は、このような事情を鑑みてなされたものであり、交換レンズが外された場合であっても、容易にシャッタ幕が破損されないようにしたデジタルカメラおよびデジタルカメラの制御方法を提供することを目的とする。
【課題を解決するための手段】
【０００６】
上記目的を達成するため第１の発明に係わるデジタルカメラは、撮影レンズを着脱自在なデジタルカメラにおいて、上記撮影レンズを介して入射した被写体光束を撮像する撮像部と、上記撮影レンズと上記撮像部の間に配置された開閉可能なシャッタ機構と、上記撮影レンズが取り外された状態においては、上記シャッタ機構を開状態に維持する制御部と、を具備する。
【０００７】
第２の発明に係わるデジタルカメラは、上記第１の発明において、上記制御部は、上記シャッタ機構が閉状態にある場合には、上記撮影レンズの取り外し操作に連動して上記シャッタ機構を開状態に設定するする。
第３の発明に係わるデジタルカメラは、上記第２の発明において、上記制御部は、上記デジタルカメラが低消費電力状態に移行する際に、上記シャッタ機構を閉状態に設定する。
第４の発明に係わるデジタルカメラは、上記第１の発明において、上記制御部は、上記デジタルカメラが低消費電力状態の場合には、上記撮影レンズが取り外されたことを割り込み処理により検知する。
【０００８】
第５の発明に係わるデジタルカメラは、上記第１の発明において、さらに、上記撮像部から出力される画像データに基づいて被写体像をライブビュー表示する表示部を有し、上記制御部は、上記ライブビュー表示中に撮影レンズが取り外された場合には、上記ライブビュー表示を停止すると共に、上記シャッタ機構を開状態に維持する。
第６の発明に係わるデジタルカメラは、上記第５の発明において、上記制御部は、上記デジタルカメラが低消費電力状態に移行する際には、上記シャッタ機構を開状態に維持したままで移行する。
第７の発明に係わるデジタルカメラは、上記第５の発明において、上記制御部は、上記撮影レンズが取り外された後に装着され、かつ低消費電力状態に移行する場合には、上記シャッタ機構を閉状態に設定する。
【０００９】
第８の発明に係わるデジタルカメラは、撮影レンズを着脱自在なデジタルカメラにおいて、上記撮影レンズを介して入射した被写体光束を撮像する撮像部と、上記撮影レンズと上記撮像素子の間に配置された開閉可能なシャッタ機構と、電源スイッチの操作に応じて上記デジタルカメラを動作状態から低消費電力状態に移行させると共に、上記シャッタ機構を閉状態にする制御部と、を具備しており、上記制御部は、上記低消費電力状態において上記撮影レンズの取り外し操作が行われた場合には上記デジタルカメラを上記動作状態に移行させると共に、上記シャッタ機構を開状態にする。
【００１０】
第９の発明に係わるデジタルカメラの制御方法は、着脱自在な撮影レンズと、この撮影レンズと撮像素子の間に配置された開閉可能なシャッタ機構を有するデジタルカメラの制御方法において、上記撮影レンズが取り外されたか否かを検出し、上記検出の結果、上記撮影レンズが取り外されたことを検出した場合には、上記シャッタ機構を開状態に維持する。
【００１１】
第１０の発明に係わるデジタルカメラの制御方法は、上記第９の発明において、上記撮影レンズが取り外されたことを検出した際に、上記シャッタ機構が閉状態であった場合には、上記シャッタ機構を開状態に設定する。
第１１の発明に係わるデジタルカメラの制御方法は、上記第１０の発明において、上記撮影レンズが取り外されたことを検出した際に、上記撮像素子から出力される画像データに基づいてライブビュー表示を停止すると共に、上記シャッタ機構の開状態を維持する。
【発明の効果】
【００１２】
本発明によれば、撮影レンズが取り外された状態においては、シャッタ機構を開状態に維持するようにしたので、交換レンズが外された場合であっても、容易にシャッタ幕が破損されないようにしたデジタルカメラおよびデジタルカメラの制御方法を提供することができる。
【発明を実施するための最良の形態】
【００１３】
以下、図面に従って本発明を適用したデジタルカメラシステムを用いて好ましい実施形態について説明する。本発明の一実施形態に係わるデジタルカメラ内には、撮像素子が配置され、レリーズ釦の全押し操作に応じて、撮像素子からの画像データを記録媒体に記録する。また、このデジタルカメラは光学式の一眼レフレックスファインダを有しておらず、画像データに基づいてライブビュー表示を行い、撮影者はこのライブビュー表示を見て構図を決定する。また、レンズ取り外し操作がなされると、シャッタを開放する。これによって不用意にシャッタに触れられシャッタが破損することを防止する。
【００１４】
図１は、本発明の一実施形態に係るデジタルカメラシステムの電気系を主とする全体構成を示すブロック図である。本実施形態に係わるデジタルカメラシステムは、交換レンズ１００とカメラ本体２００とから構成され、通信接点２９１にて電気的に接続されている。
【００１５】
交換レンズ１００の内部には、焦点調節および焦点距離調節用の撮影光学系１０１と、開口量を調節するための絞り１０３が配置されている。撮影光学系１０１は光学系駆動機構１０７によって駆動され、絞り１０３は絞り駆動機構１０９によって駆動される。収納検知スイッチ１０５は、交換レンズ１００内の一部または全部の撮影光学系１０１が収納された場合に、この収納を検知するスイッチである。すなわち、本実施形態における交換レンズ１００には、図２に示すように、交換レンズ１００の外周に回転操作部材１２１が設けられている。
【００１６】
この回転操作部材１２１を、図２（ｄ）に示す矢印方向に回動操作することにより、撮影光学系１０１の一部または全部が繰り込まれ、レンズ鏡筒の全長が短くなり、収納状態となる。また、回転操作部材１２１を図２（ｄ）の矢印方向と逆に回動操作することにより、撮影光学系１０１が繰り出され、撮影状態となる。収納検知スイッチ１０５は収納状態となるとオンとなり、撮影状態となるとオフとなる。
【００１７】
収納検知スイッチ１０５、光学系駆動機構１０７および絞り駆動機構１０９は、それぞれレンズＣＰＵ１１１に接続されており、このレンズＣＰＵ１１１は通信接点２９１を介してカメラ本体２００に接続されている。レンズＣＰＵ１１１は交換レンズ１００内の制御を行うものであり、光学系駆動機構１０７を制御してピント合わせや、ズーム駆動や、レンズ収納駆動を行うとともに、絞り駆動機構１０９を制御して絞り値制御を行う。また、収納検知スイッチ１０５の状態に基づいてから交換レンズ１００が収納状態か否かを検出し、この検出結果をカメラ本体２００に伝達する。
【００１８】
カメラ本体２００内であって、撮影光学系１０１の後方には、露光時間制御用のフォーカルプレーンタイプのシャッタ２１３が配置されており、このシャッタ２１３はシャッタ駆動機構２３７によって駆動制御される。シャッタ２１３は、所謂、ノーマリオープンタイプのシャッタであり、チャージ状態で開状態、非チャージ状態で閉状態となっている。シャッタ２１３の後方には撮像素子２２１が配置されており、撮影光学系１０１によって結像される被写体像を電気信号に光電変換する。なお、撮像素子２２１としては、ＣＣＤ（Charge Coupled
Devices）またはＣＭＯＳ（Complementary Metal Oxide Semiconductor）等の二次元固体撮像素子を使用できることは言うまでもない。
【００１９】
撮像素子２２１は撮像素子駆動回路２２３に接続され、この撮像素子駆動回路２２３によって、撮像素子２２１から画像信号の読出し等が行われる。撮像素子２２１の出力は、前処理回路２２５に接続されており、前処理回路２２５は、ライブビュー表示のための画素間引き処理等の画像処理のための前処理を行なう。
【００２０】
前述のシャッタ２１３と撮像素子２２１の間には、防塵フィルタ２１５、圧電素子２１６、赤外カットフィルタ・ローパスフィルタ２１７が配置されている。防塵フィルタ２１５の周囲には圧電素子２１６が固定されており、この圧電素子２１６は防塵フィルタ駆動回路２３５によって、超音波で振動する。防塵フィルタ２１５の付着した塵埃は、圧電素子２１６に発生する振動波によって、除塵される。
【００２１】
赤外カットフィルタ・ローパスフィルタ２１７は、被写体光束から赤外光成分と、高周波成分を除去するための光学フィルタである。防塵フィルタ２１５、圧電素子２１６、赤外カットフィルタ・ローパスフィルタ２１７および撮像素子２２１からなる撮像ユニット２１９は、塵埃等が侵入しないように気密に一体に構成されている。
【００２２】
前処理回路２２５は、ＡＳＩＣ（Application Specific
Integrated Circuit：特定用途向け集積回路）２５０内のデータバス２５２に接続されている。このデータバス２５２には、シーケンスコントローラ(以下、「ボディＣＰＵ」と称す)２５１、画像処理回路２５７、圧縮伸張回路２５９、ビデオ信号出力回路２６１、ＳＤＲＡＭ制御回路２６５、入出力回路２７１、通信回路２７３、記録媒体制御回路２７５、フラッシュメモリ制御回路２７９、スイッチ検知回路２８３が接続されている。
【００２３】
データバス２５２に接続されているボディＣＰＵ２５１は、このデジタルカメラの動作を制御するものである。前述の前処理回路２２５とボディＣＰＵ２５１の間には、コントラストＡＦ回路２５３が接続されている。コントラストＡＦ回路２５３は、前処理回路２２５から出力される画像データに基づいて高周波成分を抽出し、この高周波成分に基づくコントラスト情報をボディＣＰＵ２５１に出力する。
【００２４】
データバス２５２に接続された画像処理回路２５７は、デジタル画像データのデジタル的増幅（デジタルゲイン調整処理）、色補正、ガンマ（γ）補正、コントラスト補正、ライブビュー表示用画像生成等の各種の画像処理を行なう。また、画像処理回路２５７は、撮像素子２２１から出力される画像データから被写体の輝度を求める。
【００２５】
圧縮伸張回路２５９はＳＤＲＡＭ２６７に記憶された画像データをＪＰＥＧやＴＩＦＦ等の圧縮方式で圧縮し、圧縮されて記録された画像データを伸張するための回路である。なお、画像圧縮はＪＰＥＧやＴＩＦＦに限らず、他の圧縮方式も適用できる。
【００２６】
ビデオ信号出力回路２６１は液晶モニタ駆動回路２６３を介して背面液晶モニタ２６およびファインダ内液晶モニタ（以下、Ｆ内液晶モニタと称す）２７に接続される。背面液晶モニタ２６は、カメラ本体２００の背面に配置されるが、撮影者が観察できる位置であれば、背面に限らないし、また液晶に限らず他の表示装置でも構わない。また、背面液晶モニタ２６は、ライブビュー表示を行い、また、撮影済みの被写体像を再生表示し、撮影情報やメニューを表示するための表示装置である。Ｆ内液晶モニタ２７の表示面は、カメラ本体２００の背面に設けられた接眼窓（不図示）を通して観察することができる。このＦ内液晶モニタ２７には、ライブビュー表示や撮影済み画像の再生表示が表示される。
【００２７】
ビデオ信号出力回路２６１は、ＳＤＲＡＭ２６７、記録媒体２７７に記憶された画像データや、前処理回路２５５や画像処理回路２５７から出力されるライブビュー用の画像データや、その他のカメラ制御用の種々の情報を、背面液晶モニタ２６やＦ内液晶モニタ２７に表示するためのビデオ信号に変換するための回路である。
【００２８】
ＳＤＲＡＭ２６７は、ＳＤＲＡＭ制御回路２６５を介してデータバス２５２に接続されており、このＳＤＲＡＭ２６７は、画像処理回路２５７によって画像処理された画像データまたは圧縮伸張回路２５９によって圧縮された画像データを一時的に記憶するためのバッファメモリである。上述の撮像素子駆動回路２２３、防塵フィルタ駆動回路２３５、およびシャッタ駆動機構２３７に接続される入出力回路２７１は、データバス２５２を介してボディＣＰＵ２５１等の各回路とデータの入出力を制御する。
【００２９】
レンズＣＰＵ１１１と通信接点２９１を介して接続された通信回路２７３は、データバス２５２に接続され、ボディＣＰＵ２５１等とのデータのやりとりや制御命令の通信を行う。データバス２５２に接続された記録媒体制御回路２７５は、記録媒体２７７に接続され、この記録媒体２７７への画像データ等の記録及び画像データ等の読み出しの制御を行う。
【００３０】
記録媒体２７７は、ｘＤピクチャーカード(登録商標)、コンパクトフラッシュ(登録商標)、ＳＤメモリカード(登録商標)またはメモリスティック(登録商標)等の書換え可能な記録媒体のいずれかが装填可能となるように構成され、カメラ本体２００に対して着脱自在となっている。その他、通信接点を介してハードディスクを接続可能に構成してもよい。
【００３１】
フラッシュメモリ制御回路２７９は、フラッシュメモリ（Flash Memory）２８１に接続され、このフラッシュメモリ２８１は、デジタルカメラの動作を制御するためのプログラムを記憶しており、ボディＣＰＵ２５１はこのフラッシュメモリ２８１に記憶されたプログラムに従ってデジタルカメラの制御を行う。なお、フラッシュメモリ２８１は、電気的に書き換え可能な不揮発性メモリである。
【００３２】
各種スイッチ２８５は、レリーズ釦の第１ストローク（半押し）を検出する１Ｒスイッチや、第２ストローク（全押し）を検出する２Ｒスイッチを含み、スイッチ検知回路２８３を介してデータバス２５２に接続されている。また、各種スイッチ２８５としては、メニュー釦に連動するメニュースイッチ、再生釦に連動する再生スイッチ、その他の操作部材に連動するその他の各種スイッチ等を含んでいる。スイッチ検知回路２８３は各種スイッチ２８５のスイッチのオン・オフ状態等を検知する。
【００３３】
また、スイッチ検知回路２８３には、パワースイッチ２８４が接続されている。このパワースイッチ２８４は、電源スイッチに連動し、パワースイッチ２８４がオンとなると、カメラを動作状態に設定することができる。また、スイッチ検知回路２８３には着脱検知スイッチ２８７が接続されている。着脱検知スイッチ２８７は、カメラマウント近傍に配置され、カメラ本体２００に交換レンズ１００が装着されているか、外されているかを検出するためのスイッチである。
【００３４】
また、パワースイッチ２８４と着脱検知スイッチ２８７は、スイッチ検知回路２８３以外にも、それぞれボディＣＰＵ２５１に接続され、割り込み処理が可能となっている。すなわち、ボディＣＰＵ２５１がスリープモードに入っている状態において、パワースイッチ２８４がオフからオン、または着脱検知スイッチ２８７がオンからオフとなると、ボディＣＰＵ２５１は、スリープ状態を脱し、カメラ本体２００の動作制御を行う。
【００３５】
次に、本発明の一実施形態におけるデジタルカメラシステムの操作法について、図２を用いて説明する。図２は、本実施形態に係わるデジタルカメラシステムの概略を示すブロック図である。この図において、制御部３００は、図１に示したボディＣＰＵ２５１やＡＳＩＣ２５０等を総称的に記載したものであり、カメラ本体２００を制御する。その他の部材等は図１と同様であることから、同一の部材には同一の符号を付し、詳しい説明は省略する。
【００３６】
図２（ａ）は、カメラ本体２００に交換レンズ１００が装着された状態を示す。この図２（ａ）の状態では、交換レンズ１００が撮影状態であることから、収納検知スイッチ１０５はオフ状態である。カメラ本体２００内の着脱検知スイッチ２８７は、交換レンズ１００が装着されていることから、オン状態である。また、図２（ａ）の状態では、パワースイッチ２８４は、オン状態であり、ライブビュー表示を行うために、シャッタ２１３は開状態となっている。
【００３７】
図２（ａ）の状態から、パワースイッチ２８４をオフとすると、図２（ｂ）に示すように、制御部３００はデジタルカメラをスリープ状態（低消費電力状態、第２の省エネルギモード）に移行させると共に、シャッタ２１３を閉状態とする。そして、この図２（ｂ）の状態において、交換レンズ１００をカメラ本体２００から外すと、図２（ｃ）に示すように、着脱検知スイッチ２８７がオフとなる。これによって制御部３００は、シャッタ２１３を開状態とする。シャッタ２１３を開状態とすることにより、誤ってカメラマウントから指等が侵入したとしてもシャッタ２１３が破損するおそれがない。なお、図２（ｃ）の状態から、再び、交換レンズ１００を装着し、図２（ｂ）の状態になると、着脱検知スイッチ２８７がこれを検知し、パワースイッチ２８４がオフであれば、シャッタ２１３は閉状態となる。
【００３８】
また、図２（ａ）の状態から、交換レンズ１００の回転操作部材１２１が回動操作されると、図２（ｄ）に示すように、収納状態となる。交換レンズ１００が収納状態となると、収納検知スイッチ１０５はオンとなり、制御部３００に伝達され、背面液晶モニタ２６でのライブビュー表示を停止する（低消費電力状態、第１の省エネルギモード）。ライブビュー表示を停止することにより、無駄な電源浪費を防止することができる。なお、所定時間内に交換レンズ１００が収納状態から撮影状態に復帰すると、ライブビュー表示を再開し、通常の動作に戻る。一方、所定時間内に撮影状態に復帰しない場合にはスリープ状態に移行し（低消費電力状態、第２の省エネルギモード）、さらに電源浪費を防止する。
【００３９】
次に、本発明の一実施形態におけるデジタルカメラの動作について図３および図４に示すフローチャートを用いて説明する。図３は、カメラ本体２００側のボディＣＰＵ２５１によるパワーオンリセットの動作である。カメラ本体２００に電池が装填されると、このフローがスタートし、はじめにカメラ本体２００のパワースイッチ２８４がオンであるか否かを判定する（＃１）。このステップでは、スイッチ検知回路２８３を通じて、パワースイッチ２８４の状態を検出し、判定する。
【００４０】
ステップ＃１における判定の結果、パワースイッチがオフの場合には、後述するステップ＃２９に進み低消費電力状態であるスリープ状態となる。一方、判定の結果、パワースイッチがオンであった場合には、電源電池からデジタルカメラ内の各回路や各部材に電源供給を開始する（＃３）。次に、シャッタ２１３の開放を行う（＃５）。これによって、撮像素子２２１上に撮影光学系１０１によって被写体像が結像される。続いて、動作モードとパラメータの設定を行う（＃７）。このステップでは、撮影モードや連写／単写等の動作モードや、各種パラメータの設定を行う。
【００４１】
動作モードやパラメータの設定を行うと、次に、ライブビュー動作を開始する（＃９）。このステップでは、ライブビューは撮像素子２２１によって取得した画像データに基づいて、背面液晶モニタ２６やＦ内液晶モニタ２７に被写体像の動画表示を開始する。撮影者は、このライブビュー表示に基づいて構図を決めることができる。
【００４２】
ライブビュー動作を開始すると、次に、レンズ情報の読み込みを行う（＃１１）。このステップでは、レンズＣＰＵ１１１より、交換レンズ１００の開放絞りや焦点距離情報等のレンズ固有情報や、現在設定されている焦点距離や、ピント位置情報や、収納検知スイッチ１０５の検知結果等、変動するレンズ情報を取得する。続いて、測光および露光量の演算を行う（＃１３）。ここでは、撮像素子２２１からの画像データに基づいて画像処理回路２５７が輝度値を演算し、またこの輝度値に基づいてボディＣＰＵ２５１が適正露光を得るためのシャッタ速度や絞り値等の露出制御値を求める。
【００４３】
測光および露光量の演算を行うと、次に、再生スイッチがオンか否かの判定を行う（＃１５）。再生モードは、再生釦が操作された際に、記録媒体２７７に記録された静止画データを読み出して背面液晶モニタ２６やＦ内液晶モニタ２７に表示するモードである。判定の結果、再生スイッチがオンの場合には、再生動作を実行する（＃４１）。
【００４４】
ステップ＃１５における判定の結果、再生スイッチがオンではなかった場合には、またはステップ＃４１において、再生動作を実行すると、メニュースイッチがオンか否かの判定を行なう（＃１７）。このステップでは、メニュー釦が操作され、メニューモードが設定されたか否かを判定する。判定の結果、メニュースイッチがオンであった場合には、背面液晶モニタ２６にメニュー表示し、メニュー設定動作を行う（＃３５）。メニュー設定動作によって、ＡＦモード、ホワイトバランス、ＩＳＯ感度設定、ドライブモードの設定等、各種の設定動作を行うことができる。
【００４５】
ステップ＃１７における判定の結果、メニュースイッチがオンでなかった場合には、またはステップ＃４３におけるメニュー設定動作を行うと、次に、レリーズ釦が半押しされたか、すなわち、１Ｒスイッチがオンか否かの判定を行う。判定の結果、１Ｒスイッチがオンであった場合には、撮影準備と撮影を行う撮影動作のサブルーチンを実行する（＃４５）。
【００４６】
ステップ＃１９における判定の結果、１Ｒスイッチがオンでなかった場合には、またはステップ＃４５において、撮影動作を実行すると、次に、レンズ収納操作がなされたか否かの判定を行う（＃２１）。このステップでは、収納検知スイッチ１０５の状態を、レンズＣＰＵ１１１を通じて検出する。
【００４７】
ステップ＃２１における判定の結果、レンズ収納操作がなされていた場合には、ライブビュー動作の停止を行う（＃５１）。レンズ収納操作がなされると、撮影光学系１０１は繰り込まれ、ピントの合わない像しかできず、この被写体像を背面液晶モニタ２６に表示しても電源電池の浪費だけであることから、本実施形態においては、ライブビュー動作を停止している。
【００４８】
ライブビュー動作を停止すると、次に、レンズ情報の読み込みを行う（＃５３）。このステップでは、レンズ収納検知スイッチ１０５の状態等のレンズ情報を読み込む。続いて、レンズ復帰操作がなされたか否かを判定する（＃５５）。ここでは、ステップ＃５３において読み込んだレンズ収納検知スイッチ１０５の状態に基づいて、交換レンズ１００のレンズ収納操作が解除され、再び、撮影光学系１０５が繰り出されたか否かの判定を行う。
【００４９】
このステップ＃５５における判定の結果、レンズ復帰操作がなされた場合には、ステップ＃７に戻り、ステップ＃９においてライブビュー動作を再開する。一方、判定の結果、レンズ復帰操作がなされていなかった場合には、次に、所定時間が経過したか否かの判定を行う（＃５７）。ここでは、レンズ収納操作を検知してから、またはライブビュー動作を停止してから所定時間が経過したか否かの判定を行う。この判定の結果、所定時間が経過していない場合には、ステップ＃５３に戻り、前述の処理を実行する。
【００５０】
ステップ＃５７における判定の結果、所定時間が経過すると、シャッタ２１３を閉鎖し（＃５９）、後述するステップ＃２９におけるスリープモードに入る。すなわち、ステップ＃２１においてレンズ収納操作がなされたことを検出すると、ライブビュー動作を停止し、所定期間の間、レンズ復帰操作がなされるのを待つ（低消費電力状態、第１の省エネルギモード）。この間に、レンズ復帰操作がなされると、再び、ライブビュー表示を再開する。一方、所定期間の間、レンズ復帰操作がなされなかった場合には、シャッタ２１３を閉じ、スリープモードに入る（低消費電力状態、第２の省エネルギモード）。このため、本実施形態においては、操作性の向上と、効率的な省エネルギを行うことができる。
【００５１】
ステップ＃２１における判定の結果、レンズ収納操作がなされていなかった場合には、次に、交換レンズ１００が取り外されたか否かの判定を行う（＃２３）。このステップでは、着脱検知スイッチ２８７の状態を、スイッチ検知回路２８３を通じて検出し判定を行う。この判定の結果、交換レンズ１００が取り外されていた場合には、ライブビュー動作の停止を行う（＃６１）。交換レンズ１００が取り外され、撮像素子２２１上に被写体像が結像されないことから、ライブビュー表示を停止している。
【００５２】
ライブビュー動作を停止すると、次に交換レンズ１００が装着されたか否かの判定を行う（＃６３）。この判定の結果、交換レンズ１００が装着されていない場合には、交換レンズ１００の取り外しを検知してから、またはライブビュー動作を停止してから、所定時間が経過したか否かの判定を行う（＃６７）。この判定の結果、所定時間が経過していない場合には、ステップ＃６３に戻り、前述の処理を実行する。所定時間が経過する前にステップ＃６３において、交換レンズ１００の装着を検出すると、パワースイッチ２８４がオンか否かの判定を行う（＃６５）。
【００５３】
ステップ＃６５における判定の結果、パワースイッチ２８４がオンの場合には、ステップ＃７に戻り、通常の動作を実行する。一方、判定の結果、パワースイッチ２８４がオフの場合には、後述するステップ＃２７に進み、シャッタ２１３を閉鎖し、スリープモードに入る（＃２９）。
【００５４】
ステップ＃６３および＃６７における判定の結果、レンズ装着がなされることなく所定時間が経過すると、ステップ＃２９に進みスリープモードに入る（低消費電力状態、第２の省エネルギモード）。このように、本実施形態においては、ライブビュー表示中に、交換レンズ１００が外されると（＃２１）、所定時間の間、レンズ装着を待ち（＃６３、＃６７）、この間にレンズ装着がなされない場合には、交換レンズ１００が外された状態でスリープモードに入る。この状態では、シャッタ２１３はライブビュー表示のために開放されたままであることから（＃５参照）、撮影者等が誤ってカメラマウントから指等をいれたとしても、シャッタ２１３が破損されるおそれは低い。
【００５５】
ステップ＃２３における判定の結果、交換レンズ１００が取り外されていなかった場合には、次に、パワースイッチ２８４がオンか否かの判定を行う（＃２５）。この判定は、スイッチ検知回路２８３を通じて、パワースイッチ２８４の状態を検出して行う。この判定の結果、パワースイッチ２８４がオンであった場合には、ステップ＃１１に戻り、通常のカメラ動作を続行する。
【００５６】
ステップ＃２５における判定の結果、パワースイッチ２８４がオフであった場合には、シャッタ２１３を閉鎖し（＃２７）、スリープモードに入る（＃２９）。このスリープ状態ではパワースイッチ２８４がオフからオンとなった場合、または着脱検知スイッチ２８７がオンからオフに変化した場合のみに割り込み処理を行い、ステップ＃３１以下においてパワーオンのための処理を行う。この割り込み処理が入るまでは、割り込み処理以外の動作を停止し、電源電池の消耗を防止する。
【００５７】
スリープ状態において、割り込み処理が入ると、ステップ＃３と同様に、電源供給を開始し（＃３１）、続いて、シャッタ２１３の開放を行う（＃３３）。シャッタ２１３の開放を行うと、次に、交換レンズ１００が取り外されているか否かの判定を行う（＃３５）。この判定は、スイッチ検知回路２８３を通じて、着脱検知スイッチ２８７の状態を検出することにより行う。
【００５８】
ステップ＃３５における判定の結果、交換レンズ１００が装着されていた場合には、ステップ＃７に進み、前述のステップ＃７に進み、ライブビュー表示等、前述の処理を実行する。一方、判定の結果、交換レンズ１００が外されていた場合には、ステップ＃６３に進み、前述の処理を実行する。
【００５９】
このように、スリープ状態に入り、低消費電力状態に移行した後に、交換レンズ１００が外されたことにより、割り込み処理が行われ、デジタルカメラが動作状態になると、シャッタ２１３を開状態としている（＃３３）。これは、ステップ＃２７やステップ＃５９において、シャッタ２１３を閉状態としてからスリープ状態に入っており、撮影者等が誤ってカメラマウントから指等を入れ、シャッタ２１３が破損することを防止するためである。
【００６０】
このように、本実施形態においては、交換レンズ１００が取り外された状態において（＃２３、または＃２９において割り込み処理）、シャッタ機構を開状態に維持している。すなわち、ステップ＃２３において、交換レンズ１００の取り外しを検知した場合には、ライブビュー表示のためにシャッタ２１３は開状態であり、この開状態は維持されている。また、ステップ＃２９において、交換レンズ１００が取り外されたために割り込み処理がなされた場合には、ステップ＃３３においてシャッタ２１３を開状態としこの状態を維持している。このように、交換レンズ１００が取り外されるとシャッタ２１３が開状態となるため、撮影者の指等がカメラマウント内に侵入したとしても、シャッタ２１３のシャッタ幕が容易に破損されることがない。
【００６１】
また、本実施形態においては、撮影レンズが撮影に適した第１の状態と、携帯に適した第２の状態に切り換え可能としている。このため、撮影レンズがレンズ交換式であっても、携帯時には小型化できる。すなわち、カメラ本体側に沈胴を行うためのスペースを設ける必要がなく、カメラ本体側の設計の自由度を高めることができる。
【００６２】
さらに、本実施形態においては、携帯に適した状態に切り換えると、低消費電力状態としている。このため、携帯に適した状態に切り換えられ、被写体像が正常に結像しないような状態で無駄な電源の浪費を防止することができる。
【００６３】
さらに、本実施形態においては、撮像素子上に正常に結像しない状態では、ライブビュー表示を停止し（第１の省エネルギモード）、さらにこの状態が続く場合にはカメラ全体の動作を停止している（第２の省エネルギモード）。このように、２段階の低消費電力状態としているので、使用状態に応じて効率的な省エネルギモードをとることができる。つまり、レンズ収納等により撮像素子上に正常に結像しなくなった直後は、ライブビュー表示を停止するだけで、所定時間内に復帰した場合には、直ちに通常の撮影状態に戻ることができる。一方、所定時間内に復帰できない場合には、撮影を取りやめたと推測でき、通常の撮影状態に戻るには時間がかかるが、より低消費電力状態（実施形態ではスリープモード）にしている。なお、この観点では、撮影レンズは交換式ではなく、固定式であっても良い。
【００６４】
なお、本実施形態においては、シャッタ２１３としては、ノーマリオープンタイプのフォーカルプレーンシャッタを用いていたが、シャッタチャージに応じてシャッタが閉状態となるノーマリクローズタイプのフォーカルプレーンシャッタを用いても勿論かまわない。また、被写体像観察用のファインダとして、背面液晶モニタ２６とＦ内液晶モニタ２７を設けていたが、いずれか一方でも勿論かまわない。
【００６５】
さらに、本実施形態においては、本発明を通常のデジタルカメラに適用した例を説明したが、これに限らず、携帯電話やＰＤＡ等に組み込まれるような撮像装置にも本発明を適用できることは勿論である。
【００６６】
以上、本発明の一実施形態を用いて説明したが、本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。
【図面の簡単な説明】
【００６７】
【図１】本発明の一実施形態におけるデジタルカメラの電気系を主とする全体構成を示すブロック図である。
【図２】本発明の一実施形態におけるデジタルカメラの操作法を示す図であって、（ａ）は撮影状態にある交換レンズをカメラ本体に装着した様子を示す図であり、（ｂ）は（ａ）の状態において、パワースイッチをオフした様子を示す図であり、（ｃ）は（ｂ）の状態から交換レンズを取り外した様子を示す図であり、（ｄ）は（ａ）の状態から交換レンズを収納した様子を示す図である。
【図３】本発明の一実施形態におけるカメラ本体側におけるパワーオンリセットの動作を示すフローチャートである。
【図４】本発明の一実施形態におけるカメラ本体側におけるパワーオンリセットの動作を示すフローチャートである。
【符号の説明】
【００６８】
２６・・・背面液晶モニタ、２７・・・Ｆ内液晶モニタ、１００・・・交換レンズ、１０１・・・撮影光学系、１０３・・・絞り、１０５・・・収納検知スイッチ、１０７・・・光学系駆動機構、１０９・・・絞り駆動機構、１１１・・・レンズＣＰＵ、１２１・・・回転操作部材、２００・・・カメラ本体、２１３・・・フォーカルプレーンシャッタ、２１５・・・防塵フィルタ、２１６・・・圧電素子、２１７・・・赤外カットフィルタ・ローパスフィルタ、２１９・・・撮像ユニット、２２１・・・撮像素子、２２３・・・撮像素子駆動回路、２２５・・・前処理回路、２３５・・・防塵フィルタ駆動回路、２３７・・・シャッタ駆動機構、２５０・・・ＡＳＩＣ、２５１・・・シーケンスコントローラ（ボディＣＰＵ）、２５２・・・データバス、２５３・・・コントラストＡＦ回路、２５７・・・画像処理回路、２５９・・・圧縮伸張回路、２６１・・・ビデオ信号出力回路、２６３・・・液晶モニタ駆動回路、２６５・・・ＳＤＲＡＭ検知回路、２６７・・・ＳＤＲＡＭ、２７１・・・入出力回路、２７３・・・通信回路、２７５・・・記録媒体制御回路、２７７・・・記録媒体、２７９・・・フラッシュメモリ制御回路、２８１・・・フラッシュメモリ、２８３・・・スイッチ検知回路、２８４・・・パワースイッチ、２８５・・・各種スイッチ、２８７・・・着脱検知スイッチ、２９１・・・通信接点、３００・・・制御部
【図１】
2010101931.tif 000003
【図２】
2010101931.tif 000004
【図３】
2010101931.tif 000005
【図４】
2010101931.tif 000006